(57)【特許請求の範囲】
【請求項１】
ａ）過酸化水素及び過酸化水素放出性物質からなる群から選択される一種またはそれ以上の物質、
ｂ）水、
ｄ）次式（Ｉ）
【化１】
0005889329.tif 000013
［式中、Ｒ１はＨまたはＣ１−Ｃ４アルキル基であり、Ｒ２は、Ｈ、置換されていないかもしくはハロゲンで置換された分枝状もしくは非分枝状のＣ１−Ｃ２０−アルキル基、置換されていないかもしくはハロゲンで置換されたＣ５−Ｃ８シクロアルキル基、置換されていないかもしくはハロゲンで置換されたＣ６−Ｃ１０アリール基、または置換されていないかもしくはハロゲンで置換された分枝状もしくは非分枝状のＣ７−Ｃ２０アラルキル基である］
の化合物及びそれの塩から選択される一種またはそれ以上の物質、
を含む組成物であって、増粘性を有するポリマーを含まず、但し、増粘性を有するポリマーとは、過酸化水素及び過酸化水素放出性物質からなる群から選択される一種またはそれ以上の物質を含む組成物の粘度を、組成物の総重量を基準として３０重量％またはそれ未満の量でこの組成物に添加した時に、２０℃でｍＰａ．ｓで３０％またはそれ超高めるポリマー性材料を意味し、及び
式（Ｉ）の一種またはそれ以上の化合物またはそれの塩において、Ｒ１がメチルであり、かつＲ２がシクロヘキシルまたは２，４，４−トリメチルペンチルであることを特徴とする前記組成物。
【請求項２】
成分ａ）の一種またはそれ以上の物質が、過酸化水素、過酸化尿素、過ホウ酸塩、過硫酸塩及びこれらの混合物からなる群から選択されることを特徴とする、請求項１に記載の組成物。
【請求項３】
成分ａ）の物質が過酸化水素であり、かつ過酸化水素が、組成物の総重量を基準にして０．５〜２０重量％の量で組成物中に含まれることを特徴とする、請求項１または２に記載の組成物。
【請求項４】
成分ｄ）の一種またはそれ以上の化合物が、酸の形で、またはそれのアルカリ金属塩、アルカリ土類金属塩もしくはアミン塩の形で、またはポリマー性対イオンとのそれの塩の形で存在することを特徴とする、請求項１〜３のいずれか一つに記載の組成物。
【請求項５】
成分ｄ）の一種またはそれ以上の物質を、組成物の総重量を基準にして０．１ｐｐｍ〜２重量％の量で含むことを特徴とする、請求項１〜４のいずれか一つに記載の組成物。
【請求項６】
成分ｄ）の一種またはそれ以上の物質を、組成物の総重量を基準にして０．５〜１００ｐｐｍの量で含むことを特徴とする、請求項５に記載の組成物。
【請求項７】
２〜１１のｐＨ値を有することを特徴とする、請求項１〜６のいずれか一つに記載の組成物。
【請求項８】
７〜１１のｐＨ値を有することを特徴とする、請求項７に記載の組成物。
【請求項９】
毛髪の漂白及び／または着色用の組成物であるかあるいはパーマネントウェーブ用調合物であることを特徴とする、請求項１〜８のいずれか一つに記載の組成物。
【請求項１０】
酸化的洗浄剤調合物であることを特徴とする、請求項１〜８のいずれか一つに記載の組成物。
【請求項１１】
繊維またはテクスタイル材料の酸化的漂白のための組成物であることを特徴とする、請求項１〜８のいずれか一つに記載の組成物。
【発明の詳細な説明】
【技術分野】
【０００１】
本発明は、過酸化水素または過酸化水素放出性物質を含む組成物に関する。
【背景技術】
【０００２】
過酸化水素を含む含水組成物は様々な用途に使用されている。これらは、化粧料中に、例えば毛髪用の漂白組成物として、染毛剤中のデベロッパー成分として、またはパーマネントウェーブ用調合物中の毛髪固定用の成分として使用されている。他の用途は、例えば、歯漂白用組成物である。更に、工業的な洗浄及び家庭での洗浄並びにテクスタイル分野においても、過酸化水素含有酸性組成物が洗浄剤調合物中に含まれている。
【０００３】
しかし、増粘性ポリマーを含まない組成物中での過酸化水素または過酸化水素放出性物質の安定性はしばしば十分ではない。
【０００４】
文献には、過酸化水素のための様々な安定化剤が挙げられている。例えば、ＥＰ１３４７７３６（特許文献１）は、ピロリン酸塩、スズ酸塩、フェナセチンまたはオキシキノリンまたはこれらの組み合わせをベースとする安定化剤を含む、毛髪処理用の酸化的組成物を開示している。しかし、これらの組成物は、増粘作用を有するポリマーも含んでいる。
【先行技術文献】
【特許文献】
【０００５】
【特許文献１】ＥＰ１３４７７３６
【特許文献２】ＤＥ２２３４００９
【発明の開示】
【発明が解決しようとする課題】
【０００６】
それ故、過酸化水素及び／または過酸化水素放出性物質を含むが、増粘性を持つポリマーは含まない長期貯蔵安定性の組成物を提供するという課題があった。
【課題を解決するための手段】
【０００７】
驚くべきことに、過酸化水素及び過酸化水素放出性物質からなる群から選択される一種またはそれ以上の物質を含むものの、増粘性を有するポリマーは含まない水性組成物中にヒドロキシピリドン類またはそれらの塩を導入することによって上記の課題が解消されることがここに見出された。
【０００８】
それ故、本発明の対象は、
ａ）過酸化水素及び過酸化水素放出性物質からなる群から選択される一種またはそれ以上の物質、
ｂ）水、
ｄ）ヒドロキシピロリドン類及びその塩からなる群から選択される一種またはそれ以上の物質を含む組成物であって、増粘性を有するポリマーを含まないことを特徴とする前記組成物である。
【発明の効果】
【０００９】
本発明の組成物によって、高められた安定性を持って過酸化水素及び／または過酸化水素放出性物質を含む低粘性組成物が今や得ることができる。低粘性組成物は、例えば、洗浄剤調合物の分野またはテクスタイル材料の漂白の分野に必要とされる。これらの組成物中での過酸化水素及び／または過酸化水素放出性物質の高められた安定性によって、向上した洗浄または漂白性能を達成することができる。
【発明を実施するための形態】
【００１０】
好ましくは、成分ａ）の一種または複数種の物質は、過酸化水素、過酸化尿素、過ホウ酸塩、過硫酸塩及びこれらの混合物からなる群から選択される。特に好ましくは、成分ａ）の物質は、過酸化水素である。
【００１１】
成分ａ）の過酸化水素及び過酸化水素放出性物質からなる群から選択される一種またはそれ以上の物質は、組成物の総重量を基準にして、好ましくは０．５〜２０重量％、特に好ましくは１〜１０重量％、とりわけ好ましくは１．５〜７重量％、極めて好ましくは２〜７重量％の量で本発明の組成物中に含まれる。その中でも、成分ａ）の物質はこの場合も好ましくは過酸化水素であり、これは、組成物の総重量を基準として、好ましくは０．５〜２０重量％、特に好ましくは１〜１０重量％、とりわけ好ましくは１．５〜７重量％、極めて好ましくは２〜７重量％の量で本発明の組成物中に含まれる。
【００１２】
本発明の好ましい実施形態の一つでは、水（成分ｂ））は、組成物の総重量を基準として、４０重量％またはそれ超、好ましくは５０重量％またはそれ超の量で本発明の組成物中に含まれる。
【００１３】
好ましくは、増粘性を有するポリマーとは、本発明の枠内では、過酸化水素及び過酸化水素放出性物質からなる群から選択される一種またはそれ以上の物質を含む組成物を、組成物の総重量を基準として３０重量％またはそれ未満、好ましくは１０重量％またはそれ未満、特に好ましくは６重量％またはそれ未満、とりわけ好ましくは３重量％またはそれ未満のポリマーの使用量の時に、大きく増粘させるのに適している、５０００ｇ／モル超の分子量を有するポリマー性材料のことである。２０℃でｍＰａ．ｓの組成物の粘度を、上記の量のポリマーで、３０％またはそれ超高める増粘が好ましい。
【００１４】
本発明の組成物の粘度は、好ましくは２０℃で≦２０００ｍＰａ・ｓ、特に好ましくは２０℃で≦１０００ｍＰａ・ｓ、とりわけ好ましくは２０℃で≦５００ｍＰａ・ｓである。粘度は、本発明の組成物それ自体について、Ｂｒｏｏｋｆｉｅｌｄ粘度計モデルＤＶＩＩを用いて、２０回転／分及び２０℃で測定される。
スピンドルセットＲＶからのスピンドルが使用される。これらの測定条件下に、最大５００ｍＰａ・ｓの粘度にはスピンドル１が、最大１０００ｍＰａ・ｓの粘度にはスピンドル２が、そして最大５０００ｍＰａ・ｓの粘度にはスピンドル３が選択される。
【００１５】
好ましくは、本発明の組成物はポリマーを含まない。
【００１６】
好ましくは、成分ｄ）の一種またはそれ以上の物質は、次式（Ｉ）の化合物またはそれの塩から選択される。
【００１７】
【化１】
0005889329.tif 000002
式中、Ｒ１はＨまたはＣ１−Ｃ４アルキル基であり、Ｒ２は、Ｈ、置換されていないかもしくはハロゲンで置換された分枝状もしくは非分枝状のＣ１−Ｃ２０−アルキル基、置換されていないかもしくはハロゲンで置換されたＣ５−Ｃ８シクロアルキル基、置換されていないかもしくはハロゲンで置換されたＣ６−Ｃ１０アリール基または置換されていないかもしくはハロゲンで置換された分枝状もしくは非分枝状のＣ７−Ｃ２０アラルキル基である。
【００１８】
好ましくは、基Ｒ２はハロゲンで置換されていない。
【００１９】
本発明の好ましい実施形態の一つでは、成分ｄ）の一種またはそれ以上の化合物は、酸の形態で（式（Ｉ）の化合物）、またはそれのアルカリ金属、アルカリ土類金属もしくはアミン塩、またはポリマー性対イオンとのそれの塩の形で、本発明の組成物中に存在する。
【００２０】
式（Ｉ）の一種もしくはそれ以上の化合物またはそれの塩においてＲ１は好ましくはメチルであり、そしてＲ２は好ましくはシクロヘキシルまたは２，４，４−トリメチルペンチルである。
【００２１】
特に好ましくは、式（Ｉ）の化合物は、それのアルカノールアミン塩、特に好ましくはそれのモノエタノールアミン塩の形で存在する。このような塩の例は、ＤＥ２２３４００９（特許文献２）に記載されている。
【００２２】
この際、特に好ましいものは、４−メチル−６−（２，４，４−トリメチルペンチル）−１−ヒドロキシ−２−ピリドン、４−メチル−６−（２，４，４−トリメチルペンチル）−１−ヒドロキシ−２−ピリドンのモノエタノールアミン塩（Ｏｃｔｏｐｉｒｏｘ（登録商標），Ｃｌａｒｉａｎｔ）、並びに４−メチル−６−（シクロヘキシル）−１−ヒドロキシ−２−ピリドン及び４−メチル−６−（シクロヘキシル）−１−ヒドロキシ−２−ピリドンのモノエタノールアミン塩（Ｃｉｃｌｏｐｉｒｏｘ（登録商標），Ｓａｎｏｆｉ−Ａｖｅｎｔｉｓ）である。
【００２３】
これらの物質は、文献公知の方法に基づき得ることができる。これに関してはＤＥ２２３４００９（特許文献２）に記載の引用文献を参照されたい。
【００２４】
本発明の組成物中には、成分ｄ）の一種またはそれ以上の物質は、組成物の総重量を基準にして、好ましくは０．１〜２００００ｐｐｍ（０．００００１〜２重量％）の量で、特に好ましくは０．５〜１０００ｐｐｍ（０．００００５〜０．１重量％）の量で、とりわけ好ましくは０．５〜１００ｐｐｍ（０．００００５〜０．０１重量％）の量で含まれる。
【００２５】
ヒドロキシピリドン類は、本発明の組成物中において他の安定化剤と組み合わせることができる。他の適当な安定化剤は、例えばポリホスフェート及びそれのアルカリ金属もしくはアルカリ土類金属塩、アルカリ金属もしくはアルカリ土類金属スズ酸塩、フェナセチン及びそれの酸塩、並びにオキシキノリン及びそれの酸塩である。一般的に、発送の用意ができた過酸化水素溶液は既に安定化剤を、好ましくはポリホスフェートの形態で含んでいる。
【００２６】
本発明の組成物は、毛髪または歯のための漂白組成物として、酸化的染毛剤用の漂白成分またはデベロッパーとして、またはパーマネントウェーブ用調合物のための固定用成分として、及び家庭用洗浄剤として使用することができる。更に、本発明の組成物は、例えば、プレウォッシュスプレー、染み抜き剤、表面洗浄剤、またはトイレ用クリーナーとして使用することができる。更なる可能な用途は、染毛時の漂白ダメージを防ぐための染毛用組成物もある。
【００２７】
本発明の他の好ましい実施形態の一つでは、本発明の組成物はエマルションである。エマルションは、好ましくは、水中油型のエマルションまたはマイクロエマルションである。
【００２８】
大部分が乳化剤及び油体から組成される、これらのエマルションの非水性部分は、エマルションの総重量を基準にして通常は０．５〜２０．０重量％、好ましくは１．０〜１０．０重量％である。その結果、該エマルションは、エマルションの総重量を基準にして、８０．０〜９９．５重量％、好ましくは９０．０〜９９．０重量％の水性相を含むことができる。
【００２９】
本発明の組成物は、アニオン性、カチオン性、ノニオン性、両性界面活性剤、及び／またはベタイン系界面活性剤も含むことができる。
【００３０】
本発明の組成物中に使用される界面活性剤の量は、組成物の総重量を基準として、好ましくは０．１〜２０重量％、特に好ましくは０．５〜１０．０重量％、とりわけ好ましくは１．０〜５．０重量％である。
【００３１】
アニオン性界面活性剤としては、好ましいものは（Ｃ１０−Ｃ２２）−アルキル−及びアルキレンカルボキシレート、アルキルエーテルカルボキシレート、脂肪アルコールスルフェート、脂肪アルコールエーテルスルフェート、アルキルアミドスルフェート及び−スルホネート、アルカンスルホネート及びヒドロキシアルカンスルホネート、オレフィンスルホネート、イセチオネートのアシルエステル、α−スルホ脂肪酸エステル、アルキルベンゼンスルホネート、アルキルフェノールグリコールエーテルスルホネート、スルホスクシネート、スルホコハク酸半エステル及びジエステル、脂肪アルコールホスフェート、脂肪アルコールエーテルホスフェート、タンパク質−脂肪酸縮合生成物、アルキルモノグリセリドスルフェート及び−スルホネート、アルキルグリセリドエーテルスルホネート、脂肪酸メチルタウリド、脂肪酸サルコシネート、スルホリシノレエート、アシルグルタメート及びアシルグリシネートである。これらの化合物及びそれらの混合物は、それらの水溶性の塩または水中に分散可能な塩の形態で使用され、例えばナトリウム塩、カリウム塩、マグネシウム塩、アンモニウム塩、モノ−、ジ−もしくはトリエタノールアンモニウム塩、並びに類似のアルキルアンモニウム塩の形で使用される。
【００３２】
本発明の組成物中でのアニオン性界面活性剤の量は、組成物の総重量を基準にして好ましくは０．０５〜２０．０重量％、特に好ましくは０．５〜１０．０重量％、とりわけ好ましくは１．０〜５．０重量％である。
【００３３】
好ましいカチオン性界面活性剤は、四級アンモニウム塩、例えばジ−（Ｃ８−Ｃ２２）−アルキル−ジメチルアンモニウムクロライドもしくは−ブロマイド、好ましくはジ−（Ｃ８−Ｃ２２）−アルキル−ジメチルアンモニウムクロライドもしくは−ブロマイド；（Ｃ８−Ｃ２２）−アルキル−ジメチル−エチルアンモニウムクロライドもしくは−ブロマイド；（Ｃ８−Ｃ２２）−アルキル−トリメチルアンモニウムクロライドもしくは−ブロマイド、好ましくはセチルトリメチルアンモニウムクロライドもしくは−ブロマイド及び（Ｃ８−Ｃ２２）−アルキル−トリメチルアンモニウムクロライドもしくは−ブロマイド；  （Ｃ１０−Ｃ２４）−アルキル−ジメチルベンジル−アンモニウムクロライドもしくは−ブロマイド、好ましくは（Ｃ１２−Ｃ１８）−アルキル−ジメチルベンジル−アンモニウムクロライド、（Ｃ８−Ｃ２２）−アルキル−ジメチル−ヒドロキシエチルアンモニウムクロライド、−ホスフェート、−スルフェート、−ラクテート、（Ｃ８−Ｃ２２）−アルキルアミドプロピルトリメチルアンモニウムクロライド、−メトスルフェート、Ｎ，Ｎ−ビス（２−Ｃ８−Ｃ２２−アルカノイル−オキシエチル）−ジメチルアンモニウムクロライド、−メトスルフェート、Ｎ，Ｎ−ビス（２−Ｃ８−Ｃ２２−アルカノイル−オキシエチル）ヒドロキシエチル−メチル−アンモニウムクロライド、−メトスルフェート、並びにトリエタノールアミンもしくはメチルジエタノールアミンのＣ８−Ｃ２２アルカノイルエステルをベースとするエステルクワット（Ｅｓｔｅｒｑｕａｔｓ）である。
【００３４】
本発明の組成物中でのカチオン性界面活性剤の量は、組成物の総重量を基準にして好ましくは０．１〜１０．０重量％、特に好ましくは０．５〜７．０重量％、とりわけ好ましくは１．０〜５．０重量％である。
【００３５】
ノニオン性界面活性剤としては、好ましいものは、例えば、脂肪酸アルカノールアミド；サッカロースエステル；ソルビトールエステル及びソルビタンエステル、並びにＣ８−Ｃ２２−アルキルポリグルコシドである。
【００３６】
本発明の組成物中でのノニオン性界面活性剤の量は、（例えばリンスオフタイプの製品の場合には）組成物の総重量を基準にして、好ましくは０．０５〜２０．０重量％の範囲、特に好ましくは０．１〜１０．０重量％の範囲、とりわけ好ましくは０．５〜５．０重量％の範囲である。
【００３７】
更に、本発明の組成物は両性界面活性剤を含むことができる。これは、長鎖第二もしくは第三アミンの誘導体と記載することができ、これは、炭素原子数８〜１８のアルキル基を有し、そして他の基が、水溶性を与えるアニオン性基で、例えばカルボキシル基、スルフェート基もしくはスルホネート基で置換されている。好ましい両性界面活性剤は、アルカリ−及びモノ−、ジーもしくはトリアルキルアンモニウム塩としてのＮ−（Ｃ１２−Ｃ１８）−アルキル−β−アミノプロピオネート及びＮ−（Ｃ１２−Ｃ１８）−アルキル−β−イミノジプロピオネートである。アミンオキシドも適当な他の界面活性剤である。これらは、炭素原子数８〜１８の一つの長鎖基と炭素原子数１〜４の二つの大概短鎖のアルキル基を有する第三アミンの酸化物である。ここで好ましいものは、例えば、Ｃ１０−〜Ｃ１８−アルキルジメチルアミンオキシド、脂肪酸アミドアルキル−ジメチルアミンオキシドである。
【００３８】
界面活性剤の他の好ましい部類は、双性イオン性界面活性剤とも称されるベタイン系界面活性剤である。これらは、同一の分子中に、カチオン性基、特にアンモニウム基と、カルボキシレート基、スルフェート基もしくはスルホネート基であることができるアニオン性基とを含む。適当なベタイン類は、好ましくはアルキルベタイン類、例えばココ−ベタインまたは脂肪酸アルキルアミドプロピルベタイン、例えばココスアシルアミドプロピルジメチルベタイン、またはＣ１２−〜Ｃ１８−ジメチルアミノヘキサノエートもしくはＣ１０−〜Ｃ１８−アシルアミドプロパンジメチルベタインである。
【００３９】
本発明の組成物中での両性界面活性剤及び／またはベタイン系界面活性剤の量は、組成物の総重量を基準にして、好ましくは０．５〜２０．０重量％、特に好ましくは１．０〜１０．０重量％である。
【００４０】
好ましい界面活性剤は、ラウリルスルフェート、ラウレススルフェート、ココアミドプロピルベタイン、アルキルベタイン類、例えばココ−ベタイン、アミンオキシド類、ナトリウムココイルグルタメート及びラウロアンフォアセテートである。
【００４１】
本発明の組成物は、他の助剤及び添加物質として、例えば、油体、ワックス、乳化剤、共乳化剤、可溶化剤、過脂肪剤、再脂肪剤、抗菌有効物質、保湿剤、溶剤、着色料、香料、真珠光沢剤及び／または不透明化剤を含むことができる。
【００４２】
油体は、有利には、トリグリセリド類、天然もしくは合成脂肪体、好ましくは脂肪酸と少炭素数のアルコール、例えばイソプロパノール、プロピレングリコールもしくはグリセリンとのエステル、または脂肪アルコールと少炭素数のアルカン酸とまたは脂肪酸とのエステルの群から、あるいはアルキルベンゾエート類、並びに天然もしくは合成炭化水素油の群から選択することができる。
【００４３】
線状もしくは分枝状で飽和もしくは不飽和の場合によりヒドロキシル化されたＣ８−Ｃ３０−脂肪酸のトリグリセリド、特に植物油、例えばヒマワリ油、マイズ油、ダイズ油、コメ油、ホホバ油、ババス油、パンプキン油、グレープシード油、ゴマ油、クルミ油、アンズ油、オレンジ油、コムギ胚芽油、ピーチカーネル油、マカダミア油、アボカド油、スイートアーモンド油、タネツケバナ（Ｗｉｅｓｅｎｓｃｈａｕｍｋｒａｕｔ）油、ヒマシ油、オリーブ油、ピーナッツ油、ナタネ油、及びココナッツ油、並びに合成トリグリセリド油、例えば商業製品のＭｙｒｉｔｏｌ（登録商標）３１８が考慮される。水素化したトリグリセリドも本発明において好ましい。動物由来の油、例えば牛脂、パーヒドロスクワレン、ラノリンなども使用できる。
【００４４】
好ましい油体の他の部類は、線状もしくは分枝状Ｃ８−２２−アルカノールの安息香酸エステル、例えば商業製品のＦｉｎｓｏｌｖ（登録商標）ＳＢ（イソステアリルベンゾエート）、Ｆｉｎｓｏｌｖ（登録商標）ＴＮ（Ｃ１２−Ｃ１５−アルキルベンゾエート）及びＦｉｎｓｏｌｖ（登録商標）ＥＢ（エチルヘキシルベンゾエート）である。
【００４５】
好ましい油体の他の部類は、合計して１２〜３６個の炭素原子、特に１２〜２４個の炭素原子を有するジアルキルエーテル、例えばジ−ｎ−オクチルエーテル（Ｃｅｔｉｏｌ（登録商標）ＯＥ）、ジ−ｎ−ノニルエーテル、ジ−ｎ−デシルエーテル、ジ−ｎ−ウンデシルエーテル、ジ−ｎ−ドデシルエーテル、ｎ−ヘキシル−ｎ−オクチルエーテル、ｎ−オクチル−ｎ−デシルエーテル、ｎ−デシル−ｎ−ウンデシルエーテル、ｎ−ウンデシル−ｎ−ドデシルエーテル及びｎ−ヘキシル−ｎ−ウンデシルエーテル、ジ−３−エチルデシルエーテル、ｔｅｒｔ．−ブチル−ｎ−オクチルエーテル、ｉｓｏ−ペンチル−ｎ−オクチルエーテル及び２−メチル−ペンチル−ｎ−オクチルエーテル、並びにジ−ｔｅｒｔ．−ブチルエーテル及びジ−ｉｓｏ−ペンチルエーテルである。
【００４６】
同様に、炭素原子数６〜３０の分枝状の飽和もしくは不飽和脂肪アルコール、例えばイソステアリルアルコール、並びにゲルベアルコールも考慮される。
【００４７】
好ましい油体の更に別の部類はヒドロキシカルボン酸アルキルエステルである。好ましいヒドロキシカルボン酸アルキルエステルは、グリコール酸、乳酸、リンゴ酸、酒石酸またはクエン酸の完全エステル（Ｖｏｌｌｅｓｔｅｒ）である。ヒドロキシカルボン酸の更に別の基本的に好適なエステルは、β−ヒドロキシプロピオン酸、タルトロン酸、Ｄ−グルコン酸、糖酸、粘液酸またはグルクロン酸のエステルである。前記エステルのアルコール成分としては、炭素原子数８〜２２の線状または分枝状第一脂肪族アルコールが適している。この際、Ｃ１２〜Ｃ１５脂肪アルコールのエステルが特に好ましい。このタイプのエステルは、例えばＥｎｉＣｈｅｍ，Ａｕｇｕｓｔａ  ＩｎｄｕｓｔｒｉａｌｅからＣｏｓｍａｃｏｌ（登録商標）の商品名で、商業的に入手できる。
【００４８】
好ましい油体の他の部類は、線状もしくは分枝状Ｃ２−Ｃ１０−アルカノールのジカルボン酸エステル、例えばジ−ｎ−ブチルアジペート（Ｃｅｔｉｏｌ（登録商標）Ｂ）、ジ−（２−エチルヘキシル）−アジペート及びジ−（２−エチルヘキシル）−スクシネート、並びにジオールエステル、例えばエチレングリコール−ジオレエート、エチレングリコール−ジ−イソトリデカノエート、プロピレングリコール−ジ−（２−エチルヘキサノエート）、プロピレングリコール−ジ−イソステアレート、プロピレングリコール−ジ−ペラルゴネート、ブタンジオール−ジ−イソステアレート及びネオペンチルグリコールジカプリレート並びにジ−イソトリデシルアセラートである。
【００４９】
同様に好ましい油体は、炭酸と脂肪アルコールとの対称性、非対称性または環状のエステル、グリセリンカーボネートまたはジカプリリルカーボネート（Ｃｅｔｉｏｌ（登録商標）ＣＣ）である。
【００５０】
好ましい油体の更に別の部類は、不飽和Ｃ１２−Ｃ２２−脂肪酸のダイマー（ダイマー脂肪酸）と一価の線状、分枝状もしくは環状Ｃ２−Ｃ１８−アルカノールとのまたは多価の線状もしくは分枝状Ｃ２−Ｃ６−アルカノールとのエステルである。
【００５１】
好ましい油体の更に別の部類は、炭化水素油、例えば線状もしくは分枝状で飽和もしくは不飽和のＣ７−Ｃ４０−炭素鎖を有する炭化水素油、例えばワセリン、ドデカン、イソドデカン、コレステロール、ラノリン、合成炭化水素、ヘキサデカン、イソヘキサデカン、パラフィン油、イソパラフィン油、例えばＰｅｒｍｅｔｈｙｌ（登録商標）シリーズの商業製品、スクワラン、スクワレン、及び脂肪環式炭化水素、例えば商業製品の１，３−ジ−（２−エチル−ヘキシル）−シクロヘキサン（Ｃｅｔｉｏｌ（登録商標）Ｓ）、オゾケライト（Ｏｚｏｋｅｒｉｔ）、及びセレシン（Ｃｅｒｅｓｉｎ）である。
【００５２】
本発明の組成物は、ワックス、例えばパラフィンワックス、マイクロワックス及びオゾケライト、蜜蝋及びそれの部分画分、蜜蝋誘導体、並びに天然ワックス、例えばライスワックス、キャンデリラワックス、カルナウバワックス、木蝋またはシェラックワックスを含んでもよい。
【００５３】
乳化剤、共乳化剤及び可溶化剤としては、ノニオン性、アニオン性、カチオン性または両性表面活性化合物を使用することができる。
【００５４】
非イオノゲン性表面活性化合物としては、好ましくは、炭素原子数８〜２２の脂肪アルコール、炭素原子数６〜２２の飽和もしくは不飽和脂肪酸のグリセリンモノ−及びジエステル並びにソルビタンモノ−及びジエステル；ポリオールエステル；脂肪酸アミド；脂肪酸アルカノールアミド、及びこれらの部類の物質からの複数種の化合物の混合物も好ましく考慮される。
【００５５】
イオノゲン性共乳化剤としては、例えばアニオン性乳化剤、例えばモノ−、ジ−もしくはトリ−リン酸エステル、石けん（例えばステアリン酸ナトリウム）、脂肪アルコールスルフェート、並びにカチオン性乳化剤、例えばモノ−、ジ−もしくはトリ−アルキルクワットが適している。
【００５６】
両性乳化剤としては、好ましくは、アルキルアミノアルキルカルボン酸、ベタイン類、スルホベタイン類及びイミダゾリン誘導体が利用される。
【００５７】
特に有利な共乳化剤は、グリセリルモノステアレート、グリセリルモノオレエート、ジグリセリルモノステアレート、グリセリルイソステアレート、グリコールジステアレート、ソルビタンモノイソステアレート、ソルビタンステアレート、ソルビタンオレエート、サッカロースジステアレート、レシチン、セチルアルコール、ステアリルアルコール、ベヘニルアルコール及びイソベヘニルアルコールである。
【００５８】
本発明の組成物は、乳化剤、共乳化剤または可溶化剤の一種またはそれ以上を、組成物の総重量を基準にして０．１〜２０．０重量％、好ましくは１．０〜１５．０重量％、特に好ましくは３．０〜１０．０重量％の量で含むことができる。
【００５９】
過脂肪剤としては、好ましくはラノリン及びレシチン、非エトキシル化ラノリン−及びレシチン誘導体またはアシル化ラノリン−及びレシチン誘導体、ポリオール脂肪酸エステル、モノ−、ジ−もしくはトリグリセリド、及び／または脂肪酸アルカノールアミド（この際、後者の物は同時に泡安定剤としても働く）を使用することができ、これらは、組成物の総重量を基準にして、０．０１〜１０．０重量％、特に好ましくは０．１〜５．０重量％、とりわけ好ましくは０．５〜３．０重量％の量で使用される。
【００６０】
抗菌有効物質には、セチルトリメチルアンモニウムクロライド、セチルピリジニウムクロライド、ベンゼトニウムクロライド、ジイソブチルエトキシエチルジメチルベンジルアンモニウムクロライド、ナトリウムアルミニウムクロロヒドロキシラクテート、トリエチルシトレート、２，４，４’−トリクロロ−２’−ヒドロキシジフェニルエーテル（トリクロサン）、３，４，４’−トリクロロカルバニリド（トリクロカルバン）、ジアミノアルキルアミド、例えばＬ−リシンヘキサデシルアミド、シトレート重金属塩、サリチレート、ピリチオン類及びそれの重金属塩、特に亜鉛ピリチオン、ファルネソール、ケトコナゾール、オキシコナゾール、ビフォナゾール、ブトコナゾール、クロコナゾール、クロトリマゾール、エコナゾール、エニルコナゾール、フェンチコナゾール、イソコナゾール、ミコナゾール、サルコナゾール、チオコナゾール、フルコナゾール、イトラコナゾール、テルコナゾール、ナフチフィン及びテルビナフィン、セレンジスルフィド、ヨードプロピニルブチルカルバメート、メチルクロロイソチアゾリノン、メチルイソチアゾリノン、メチルジブロモグルタロニトリル、ＡｇＣｌ、クロロキシレノール、安息香酸ナトリウム、並びにフェノキシエタノール、フェノキシイソプロパノール、パラベン類、好ましくはブチル−、エチル−、メチル−及びプロピルパラベン、並びにこれらのＮａ塩、ペンタンジオール、１，２−ヘキサンジオール、１，２−オクタンジオール、２−ブロモ−２−ニトロプロパン−１，３−ジオール、エチルヘキシルグリセリン、ベンジルアルコール、ソルビン酸、安息香酸、乳酸、イミダゾリジニル尿素、ジアゾリジニル尿素、ジメチロールジメチルヒダントイン（ＤＭＤＭＨ）、ヒドロキシメチルグリシネートのＮａ塩を使用することができる。
【００６１】
本発明の組成物は、抗菌有効物質を、組成物の総重量を基準にして好ましくは０．００１〜５．０重量％、特に好ましくは０．０１〜３．０重量％、とりわけ好ましくは０．１〜２．０重量％の量で含む。
【００６２】
更に、２−ピロリドン−５−カルボキシレートのナトリウム塩（ＮａＰＣＡ）、グアニジン、グリコール酸及びそれの塩、乳酸及びそれの塩、グルコサミン類及びそれの塩、ラクトアミドモノエタノールアミン、アセトアミドモノエタノールアミン、尿素、ヒドロキシ酸、パンテノール及びそれの誘導体、例えばＤ−パンテノール（Ｒ−２，４−ジヒドロキシ−Ｎ−（３−ヒドロキシプロピル）−３，３−ジメチルブタミド）、ＤＬ−パンテノール、カルシウムパントテネート、パンテチン、パントテイン、パンテニルエチルエーテル、イソプロピルパルミテート、グリセリン及び／またはソルビトールから選択される保湿剤を使用することができ、好ましくは、組成物の総重量を基準にして０．１〜１５．０重量％、特に好ましくは０．５〜５．０重量％の量で使用される。
【００６３】
追加的に、本発明の組成物は、有機溶剤を含むことができる。原則的に、有機溶剤としては、全ての一価もしくは多価のアルコールが考慮される。好ましくは、炭素原子数１〜４のアルコール、例えばエタノール、プロパノール、イソプロパノール、ｎ−ブタノール、ｉ−ブタノール、ｔ−ブタノール、グリセリン、１，２−プロパンジオール及び１，３−プロパンジオール及び上記のアルコールの混合物が使用される。他の適切な溶剤は、例えばトリアセチン（グリセリントリアセテート）及び１−メトキシ−２−プロパノールである。
【００６４】
本発明の組成物は、染料及び顔料を含むことができ、有機染料、無機染料のいずれも可能であり、これらは、化粧品法の対応するポジティブリストまたは化粧品用着色料のＥＧリストから選択される。
【００６５】
【表１】
0005889329.tif 000003
0005889329.tif 000004
0005889329.tif 000005
0005889329.tif 000006
【００６６】
更に有利なものは、油溶性天然染料、例えばパプリカエキス、β−カロチン及びコヘニール（Ｃｏｃｈｅｎｉｌｌｅ）である。
【００６７】
フレグランス油または香油としては、個々の匂い物質化合物、例えばエステル、エーテル、アルデヒド、ケトン、アルコール及び炭化水素のタイプの合成生成物を使用することができる。エステルタイプの匂い物質化合物は、例えば、ベンジルアセテート、フェノキシエチルイソブチレート、ｐ−ｔｅｒｔ．−ブチルシクロヘキシルアセテート、リナリルアセテート、ジメチルベンジルカルビニルアセテート、フェニルエチルアセテート、リナリルベンゾエート、ベンジルホルミエート、エチルメチルフェニルグリシネート、アリルシクロヘキシルプロピオネート、スチラリルプロピオネート及びベンジルサリチレートである。エーテルには、例えばベンジルエチルエーテルが、アルデヒドには、例えば炭素原子数８〜１８の線状アルカナール、シトラール、シトロネラール、シトロネリルオキシアセトアルデヒド、シクラメンアルデヒド、ヒドロキシシトロネラール、リリアール及びブルゲオナールが、ケトンには、例えばアイオノン、アルファ−イソメチルアイオノン及びメチル−セドリルケトンが、アルコールには、アネトール、シトロネロール、オイゲノール、ゲラニオン、リナロール、フェニルエチルアルコール及びテルピネオールが、炭化水素には主にテルペン類及びバルサム類が挙げられる。好ましくは、一緒になって心地良い香気を生む様々な匂い物質の混合物が使用される。
【００６８】
香油は、例えば、植物性または動物性の源から得ることができる天然の匂い物質混合物、例えばパイン油、シトラス油、ジャスミン油、ユリ油、バラ油、またはイランイラン油も含むことができる。大概の場合に芳香族成分として使用される揮発性が比較的低いエーテル油も香油として適しており、例えばセージ油、カモミール油、チョウジ油、メリッサ油、ハッカ油、シナモンリーフ油、リンデンブロッサム油、ジュニパーベリー油、ベチバー油、オリバナム油、ガルバナム油及びラダナム油などがある。
【００６９】
真珠光沢付与成分としては、脂肪酸モノアルカノールアミド、脂肪酸ジアルカノールアミド、アルキレングリコール、特にエチレングリコール及び／またはプロピレングリコールと高級脂肪酸、例えばパルミチン酸、ステアリン酸及びベヘン酸とのモノエステルまたはジエステル、グリセリンとカルボン酸、脂肪酸及びこれらの金属塩とのモノエステルもしくはポリエステル、ケトスルホン類、または上記の化合物の混合物が好適である。特に好ましいものは、エチレングリコールジステアレート及び／またはグリコール単位数が平均で３のポリエチレングリコールジステアレートである。
【００７０】
本発明の組成物が真珠光沢付与化合物を含む場合には、これらは、組成物の総重量を基準にして、好ましくは０．１〜１５．０重量％、特に好ましくは１．０〜１０．０重量％の量で本発明の組成物中に含まれる。
【００７１】
ｐＨ値の調節のための酸またはアルカリとしては、好ましくは鉱酸、特にＨＣｌ、無機塩基、特にＮａＯＨまたはＫＯＨ、及び有機酸、特にクエン酸が使用される。
【００７２】
好ましくは、本発明の組成物は、２〜１１のｐＨ値、特に好ましくは７〜１１のｐＨ値、とりわけ好ましくは８〜１１、極めて好ましくは８．５〜１１のｐＨ値を有する。
【００７３】
本発明の他の好ましい実施形態の一つでは、本発明の組成物は、毛髪用の漂白及び／または着色のための組成物、あるいはパーマネントウェーブ用調合物である。
【００７４】
本発明の他の好ましい実施形態の一つでは、本発明の組成物は酸化的洗浄剤調合物である。
【００７５】
本発明の他の好ましい実施形態の一つでは、本発明の組成物は、繊維またはテクスタイル材料の酸化的漂白のための組成物である。
【００７６】
本発明の組成物は、染毛用調合物において毛髪のダメージを低減するのに有利に適している。
【００７７】
以下の例及び使用は、本発明をより詳細に説明するものであるが、本発明はこれらに限定されない。全ての百分率の記載は、他に記載がなければ重量％である。
【実施例】
【００７８】
試験例：
例１：
Ｓｏｌｖａｙ社の過酸化水素溶液（水中３５重量％）またはＭｅｒｃｋ社の過酸化水素溶液（水中３５重量％）を、完全脱塩水を用いて約６．０重量％の過酸化水素含有率に希釈し、そして水酸化ナトリウム溶液（２０重量％）を用いて９．０のｐＨ値に調節した。更に別の溶液に、それぞれ８ｐｐｍの４−メチル−６−（２，４，４−トリメチルペンチル）−１−ヒドロキシ−２−ピリドン（添加剤Ａ、プロピレングリコール中に溶解）を添加剤として加えた。これらの溶液を、室温（２０℃）及び４０℃で１週間貯蔵し、そして貯蔵前と貯蔵後の過酸化水素含有率を測定した（表１参照）。
【００７９】
【表２】
0005889329.tif 000007
【００８０】
例２
Ｓｏｌｖａｙ社の過酸化水素溶液（水中３５重量％）またはＭｅｒｃｋ社の過酸化水素溶液（水中３５重量％）、Ｃ１４−１７アルキル第二スルホン酸ナトリウムの溶液（Ｈｏｓｔａｐｕｒ（登録商標）ＳＡＳ３０）及び完全脱塩水を、過酸化水素含有率が約６．０重量％に及びＣ１４−１７アルキル第二スルホン酸ナトリウムの含有率が５．０重量％となるように混合した。その後、水酸化ナトリウム溶液（２０重量％）を用いてｐＨ値を９．０に調節した。更に別の溶液に、それぞれ７ｐｐｍの４−メチル−６−（２，４，４−トリメチルペンチル）−１−ヒドロキシ−２−ピリドン（添加剤Ａ、プロピレングリコール中に溶解）を添加剤として加えた。これらの溶液を、室温及び４０℃で１週間貯蔵し、そして貯蔵前と貯蔵後の過酸化水素含有率を測定した（表２参照）。
【００８１】
【表３】
0005889329.tif 000008
【００８２】
例１及び２の結果は、４−メチル−６−（２，４，４トリメチルペンチル）−１−ヒドロキシ−２−ピリドンが、室温下でも、４０℃においても、高いｐＨ値で過酸化水素溶液の貯蔵安定性を大きく高め得ることを示している。
【００８３】
調合例
【００８４】
【表４】
0005889329.tif 000009
【００８５】
調製：
４−メチル−６−（２，４，４−トリメチルペンチル）−１−ヒドロキシ−２−ピリドンモノエタノールアミン塩（Ｏｃｔｏｐｉｒｏｘ（登録商標））をプロピレングリコール中に溶解する。界面活性剤を水中に溶解し、過酸化水素溶液及び前記プロピレングリコール溶液を導入し、そしてホモジナイズする。生成物をｐＨ＝４に調節する。
【００８６】
【表５】
0005889329.tif 000010
【００８７】
調製：
４−メチル−６−（シクロヘキシル）−１−ヒドロキシ−２−ピリドンをプロピレングリコール中に溶解する。界面活性剤を水中に溶解し、過酸化水素溶液及び前記プロピレングリコール溶液を導入し、そしてホモジナイズする。生成物をｐＨ＝７に調節する。
【００８８】
【表６】
0005889329.tif 000011
【００８９】
調製：
４−メチル−６−（２，４，４−トリメチルペンチル）−１−ヒドロキシ−２−ピリドンをプロピレングリコール中に溶解する。界面活性剤を水中に溶解し、過酸化水素溶液及び前記プロピレングリコール溶液を導入し、そしてホモジナイズする。生成物をｐＨ＝４．７に調節する。
本願は特許請求の範囲に記載の発明に係るものであるが、本願の開示は以下も包含する：
１．
ａ）過酸化水素及び過酸化水素放出性物質からなる群から選択される一種またはそれ以上の物質、
ｂ）水、
ｄ）ヒドロキシピリドン類及びそれの塩からなる群から選択される一種またはそれ以上の物質、
を含む組成物であって、増粘性を有するポリマーを含まないことを特徴とする前記組成物。
２．
成分ａ）の一種またはそれ以上の物質が、過酸化水素、過酸化尿素、過ホウ酸塩、過硫酸塩及びこれらの混合物からなる群から選択されることを特徴とする、上記１に記載の組成物。
３．
成分ａ）の物質が過酸化水素であり、かつ過酸化水素が、組成物の総重量を基準にして０．５〜２０重量％の量で組成物中に含まれることを特徴とする、上記１または２に記載の組成物。
４．
成分ｄ）の一種またはそれ以上の物質が、次式（Ｉ）の化合物及びそれの塩から選択されることを特徴とする、上記１〜３の一つまたはそれ以上に記載の組成物。
【化２】
0005889329.tif 000012
式中、Ｒ１はＨまたはＣ１−Ｃ４アルキル基であり、Ｒ２は、Ｈ、置換されていないかもしくはハロゲンで置換された分枝状もしくは非分枝状のＣ１−Ｃ２０−アルキル基、置換されていないかもしくはハロゲンで置換されたＣ５−Ｃ８シクロアルキル基、置換されていないかもしくはハロゲンで置換されたＣ６−Ｃ１０アリール基、または置換されていないかもしくはハロゲンで置換された分枝状もしくは非分枝状のＣ７−Ｃ２０アラルキル基である。
５．
成分ｄ）の一種またはそれ以上の化合物が、酸の形で、またはそれのアルカリ金属塩、アルカリ土類金属塩もしくはアミン塩の形で、またはポリマー性対イオンとのそれの塩の形で存在することを特徴とする、上記１〜４の一つまたはそれ以上に記載の組成物。
６．
式（Ｉ）の一種またはそれ以上の化合物またはそれの塩において、Ｒ１がメチルであり、かつＲ２がシクロヘキシルまたは２，４，４−トリメチルペンチルであることを特徴とする、上記４または５に記載の組成物。
７．
成分ｄ）の一種またはそれ以上の物質を、組成物の総重量を基準にして０．１ｐｐｍ〜２重量％の量で含むことを特徴とする、上記１〜６の一つまたはそれ以上に記載の組成物。
８．
成分ｄ）の一種またはそれ以上の物質を、組成物の総重量を基準にして０．５〜１００ｐｐｍの量で含むことを特徴とする、上記７に記載の組成物。
９．
２〜１１のｐＨ値を有することを特徴とする、上記１〜８の一つまたはそれ以上に記載の組成物。
１０．
７〜１１のｐＨ値を有することを特徴とする、上記９に記載の組成物。
１１．
毛髪の漂白及び／または着色用の組成物であるかあるいはパーマネントウェーブ用調合物であることを特徴とする、上記１〜１０の一つまたはそれ以上に記載の組成物。
１２．
酸化的洗浄剤調合物であることを特徴とする、上記１〜１０の一つまたはそれ以上に記載の組成物。
１３．
繊維またはテクスタイル材料の酸化的漂白のための組成物であることを特徴とする、上記１〜１０の一つまたはそれ以上に記載の組成物。